(57)【要約】【課題】自転車用靴において、靴底部より幅が狭いペダルを使用しても、軟質の靴底部の幅方向の変形を抑えるようにする。【解決手段】自転車用靴１０は、自転車搭乗時に使用する靴であって、アッパー部１２と、靴底部１４と、補強部材１６と、を備えている。アッパー部１２は、足の甲を覆う。靴底部１４は、アッパー部１２に固定されている。少なくとも一つの補強部材１６は、靴底部１４に左右方向に沿って配置されている。【選択図】図１
2010268884.tif 000002
【特許請求の範囲】
【請求項１】
自転車搭乗時に使用する自転車用靴であって、
足の甲を覆うアッパー部と、
前記アッパー部に固定された靴底部と、
前記靴底部に左右方向に沿って配置された少なくとも一つの補強部材と、
を備えた自転車用靴。
【請求項２】
靴底部は、前記補強部材を間に挟んで左右方向に沿って配置された溝部をさらに有する、請求項１に記載の自転車用靴。
【請求項３】
前記靴底部に形成され自転車のペダルと共に使用するためのクリートを固定可能なクリート固定部をさらに備え、
前記補強部材は、前記クリート固定部から前方に配置されている、請求項１又は２に記載の自転車用靴。
【請求項４】
前記補強部材は、前後方向に間隔を隔てて前記靴底部に配置された複数の棒状部材である、請求項１から３のいずれか１項に記載の自転車用靴。
【発明の詳細な説明】
【技術分野】
【０００１】
本発明は、靴、特に、自転車搭乗時に使用する自転車用靴に関する。
【背景技術】
【０００２】
自転車用靴は、自転車のペダルをこぐのに適した靴である。このような自転車靴は、通常はペダルの踏み面の幅より大きな幅の靴底部を有している。特に、ビンディングペダルと呼ばれる靴に装着されたクリートを係止可能なペダルでは、軽量化を図るため、踏み面の幅が靴底部の幅よりかなり小さい。
【０００３】
また、自転車用靴では、靴底部は、一般にペダリング性能を高めるために剛性が高い硬質の合成樹脂を用いて作成されている。しかし、硬質の合成樹脂を用いると、歩行性が悪化するため、特にレース中に歩行することがあるマウンテンバイク用の自転車用靴では、歩行性を確保するために靴底部に合成ゴム等の軟質の素材を用いている。
【先行技術文献】
【特許文献】
【０００４】
【特許文献１】特表２００１−５２３１４８号公報
【発明の概要】
【発明が解決しようとする課題】
【０００５】
このように靴底部が軟質でその幅がペダルの踏み面の幅より大きいと、踏み面からはみ出した靴底部のペダル接触部分が幅方向（左右方向）において変形する。靴底部が幅方向において変形すると、力を入れてペダルをこぐとき、その変形により靴底部が踏み面から外れるおそれがある。
【０００６】
そこで、踏み面の幅が靴底部の幅より大きなペダルを用いることが考えられる。しかし、ペダルの踏み面の幅を大きくすると、カーブ走行時にペダルが接地したり、取り回しの邪魔になったりする。
【０００７】
本発明の課題は、自転車用靴において、靴底部より幅が狭いペダルを使用しても、靴底部の幅方向における変形を抑えるようにすることにある。
【課題を解決するための手段】
【０００８】
発明１に係る自転車用靴は、自転車搭乗時に使用する靴であって、アッパー部と、靴底部と、補強部材と、を備えている。アッパー部は、足の甲を覆う。靴底部は、アッパー部に固定されている。少なくとも一つの補強部材は、靴底部に左右方向に沿って配置されている。
【０００９】
この自転車用靴では、靴底部に左右方向に沿って補強部材が配置されている。このため、靴底部の左右方向における剛性が高くなる。この結果、靴底より幅が狭いペダルを使用しても、軟質の靴底の幅方向における変形を抑えることができる。
【００１０】
発明２に係る自転車用靴は、発明１に記載の靴において、靴底部は、補強部材を間に挟んで左右方向に沿って配置された溝部をさらに備える。この場合には、補強部材の間に溝部が靴底部に形成されているので、靴底部が前後方向において湾曲しやすくなる。このため、特に歩行時に湾曲する拇指球より前方に溝部を形成することにより靴底部が湾曲しやすくなり、歩行性をさらに良好にすることができる。
【００１１】
発明３に係る自転車用靴は、発明１又は２に記載の靴において、靴底部に形成され自転車のペダルと共に使用するためのクリートを固定可能なクリート固定部をさらに備え、補強部材は、クリート固定部から前方に配置されている。この場合に、補強部材がペダルに係止されるクリート固定部から前方に形成されているので、ペダルをこぐときにも靴底部が前後方向において湾曲しやすくなる。
【００１２】
発明４に係る自転車用靴は、発明１から３のいずれかに記載の靴において、補強部材は、前後方向に間隔を隔てて靴底部に配置された複数の棒状部材である。この場合には、金属、芳香族ポリアミド系樹脂及び繊維強化樹脂等の棒状部材を用いて補強部材を構成できるので、簡単な構成で補強部材の補強度合いを靴に合わせて自由に設定できる。
【発明の効果】
【００１３】
本発明によれば、靴底部に左右方向に沿って補強部材が配置されている。このため、靴底より幅が狭いペダルを使用しても、軟質の靴底の幅方向における変形を抑えることができる。
【図面の簡単な説明】
【００１４】
【図１】本発明の一実施形態による自転車用靴の側面図。
【図２】本発明の一実施形態による自転車用靴の平面図。
【図３】その底面図。
【図４】図３のIV−IV断面図。
【図５】他の実施形態の図３に相当する図。
【発明を実施するための形態】
【００１５】
図１、図２及び図３において、本発明の一実施形態による自転車用靴１０は、ビンディングを有するペダルＰＤと共に使用するためのクリート４０を固定可能な靴である。自転車用靴１０は、足の甲を覆うアッパー部１２と、アッパー部１２に固定された靴底部１４とを備えている。また、自転車用靴１０は、靴底部１４を補強する補強部材１６と、補強部材１６の間に形成された溝部１８と、クリート４０を固定するためのクリート固定部２０と、を備えている。
【００１６】
アッパー部１２は、通気性を有する布地と合成皮革とを用いて構成されている。アッパー部１２には、面ファスナで足の甲を締め付け可能な、複数（例えば３本）の締め付けベルト２２ａ，２２ｂ，２２ｃが装着されている。アッパー部１２は、図４に示すように、靴底部１４の後述する下ソール部２４に接着剤により固定されている。
【００１７】
靴底部１４は、アッパー部１２に固定された下ソール部２４と、上ソール部２６と、敷き皮２８と、を有している。
【００１８】
下ソール部２４は、例えば合成ゴム等の弾性体製の部材である。下ソール部２４は、図３及び図４に示すように、下面にクリート４０を収納可能なクリート収納部２４ａと、ペダルＰＤから自転車用靴１０が脱落するのを防止する靴脱落防止部２４ｂと、を有している。下ソール部２４は、上面に上ソール部２６を収納可能な概ね矩形の収納凹部２４ｄを有している。
【００１９】
クリート収納部２４ａは、クリート固定部２０を含むように凹んで形成されている。クリート収納部２４ａは、クリート固定部２０に固定されたクリート４０を底面から突出しないように収納可能であり、この実施形態では、下ソール部２４の上下面を貫通して形成されている。靴脱落防止部２４ｂは、クリート固定部２０の後方に凹んで形成されている。靴脱落防止部２４ｂは、クリート収納部２４ａと連続して形成されており、後方に行くに従い先細りに形成されている。したがって、この実施形態では、靴脱落防止部２４ｂは下ソール部２４を貫通していない。
【００２０】
上ソール部２６は、下ソール部２４の上方に、クリート収納部２４ａに対向して配置される部材でありクリート固定部２０を構成している。上ソール部２６は、例えばポリアミド樹脂等の比較的硬質な合成樹脂製の部材である。上ソール部２６は、概ね矩形の外形を有している。上ソール部２６は、上面にクリート４０を固定するためのボルト部材４２がねじ込まれる雌ねじを有するナット部材４４を配置するための概ね矩形の配置凹部２６ａを有している。配置凹部２６ａには、クリート固定部２０を構成する２本のスリット２０ａ，２０ｂが前後方向に沿って形成されている。スリット２０ａ，２０ｂには、ナット部材４４が装着されている。これにより、クリート４０の装着位置を前後方向に調整できる。
【００２１】
ナット部材４４は、図４に示すように、第１スリット２０ａ，２０ｂに嵌合する２つのナット部４４ａと、２つのナット部４４ａが両端に配置されたプレート部４４ｂと、を有している。
【００２２】
敷き皮２８は、例えば、上ソール部２６の上面及び下ソール部２４の上面に接着されている。なお、敷き皮２８を接着しなくても良い。
【００２３】
補強部材１６は、軟質の下ソール部２４の左右方向における強度を補強するために配置されている。補強部材１６は、靴底部１４の軟質の下ソール部２４に配置されている。補強部材１６は、例えば、左右方向に沿って配置されたステンレス合金製の線材（棒状部材の一例）を前後方向に間隔を隔てて配置したものである。補強部材１６は、下ソール部２４の成型の際に金型内にインサートされて一体形成される。補強部材１６は、下ソール部２４のクリート収納部２４ａの前方及び後方に配置されている。
【００２４】
溝部１８は、クリート収納部２４ａの前方に配置された補強部材１６の間に形成されている。溝部１８は、拇指球より前方に位置するように配置されており、歩行時やペダリング時のつま先側の湾曲性を確保するために設けられている。
【００２５】
クリート固定部２０は、前述したスリット２０ａ，２０ｂを有する上ソール部２６と、ボルト部材４２と、ナット部材４４と、を有している。クリート４０には、一面に長円形凹部４０ａが形成されており、長円形凹部４０ａには、長円形凹部４０ａより小径の長円形孔４０ｂが形成されている。長円形凹部４０ａには、２つの固定孔４６ａを有する長円形のワッシャ部材４６が装着されている。この固定孔４６ａを貫通して２本のボルト部材４２がナット部材４４にねじ込まれてクリート４０が自転車用靴１０に固定されている。
【００２６】
このように構成された自転車用靴１０では、靴底部１４の軟質の下ソール部２４に補強部材１６が左右方向に沿って配置されている。また、前後方向に間隔を隔てて配置されている。このため、補強部材１６により靴底部１４の左右方向における剛性が高くなる。この結果、靴底部より幅が狭いペダルＰＤを使用しても、軟質の靴底部１４の幅方向における変形を抑えることができる。この変形が抑えられるため、力を入れてペダルをこいでも、靴底部１４がペダルＰＤの踏み面から外れにくくなる。
【００２７】
また、つま先側の補強部材１６の間には溝部１８が形成されている。このため、左右方向において補強されていても、前後方向における湾曲性を確保できる。したがって、好ましくは歩行時に湾曲する拇指球より前方に溝部１８を形成することにより靴底部１４が湾曲しやすくなり、歩行性をさらに良好にすることができる。
【００２８】
＜他の実施形態＞
以上、本発明の一実施形態について説明したが、本発明は上記実施形態に限定されるものではなく、発明の要旨を逸脱しない範囲で種々の変更が可能である。
【００２９】
（ａ）前記実施形態では、ビンディングペダルに用いられるクリートを固定可能な自転車用靴を例に本発明を説明したが、本発明はこれに限定されない。図５において、自転車用靴１１０は、通常のペダルの踏み面に載置されるものである。自転車用靴１１０は、アッパー部１１２と、靴底部１１４と、を備えている。靴底部１１４は、合成ゴム等の軟質の合成樹脂製である。靴底部１１４には、前記実施形態と同様の補強部材１１６が設けられている。補強部材１１６は、この実施形態では、概ねペダルの踏み面となる部分から前方に形成されている。また、つま先側の補強部材１１６の間には溝部１１８が形成されている。このような構成であっても前記実施形態と揺動な作用効果が得られる。
【００３０】
（ｂ）前記実施形態では、補強部材としてステンレス合金製の線材を用いたが、本発明はこれに限定されない。例えば、芳香族ポリアミド系樹脂、炭素繊維またはガラス繊維で強化された合成樹製の棒状部材等を用いてもよい。また、棒状部材ではなく、板状の部材を用いても良い。
【符号の説明】
【００３１】
１０，１１０    自転車用靴
１２，１１２    アッパー部
１４，１１４    靴底部
１６，１１６  補強部材
１８，１１８  溝部
２０  クリート固定部
４０  クリート
ＰＤ  ペダル
【図１】
2010268884.tif 000003
【図２】
2010268884.tif 000004
【図３】
2010268884.tif 000005
【図４】
2010268884.tif 000006
【図５】
2010268884.tif 000007